(57)【要約】【課題】製造コストの増加を抑えつつ、リモコンの混信を防止する。【解決手段】リモコン３の表面のうち、当該リモコン３を操作するときに電子機器２側に向けられる領域には、当該リモコン３に固有の識別記号３５が形成されている。リモコン３から発信される操作信号によって操作される電子機器２は、リモコン３から操作信号を受信する受信部２０と、カメラ２１と、当該電子機器２に対応するリモコン３の識別記号３５を記憶する関連付け記号テーブル２４１と、受信部２０がリモコン３からの操作信号を受信したときに、カメラ２１を介して撮影される当該リモコン３の識別記号３５と、関連付け記号テーブル２４１によって記憶された識別記号３５とを比較し、これらの識別記号３５が一致する場合に当該操作信号に応じた処理を実行する制御部２５と、を備える。【選択図】図５
2012169816.tif 000002
【特許請求の範囲】
【請求項１】
リモコンから発信される操作信号によって操作される電子機器において、
前記リモコンの表面のうち、当該リモコンを操作するときに当該電子機器側に向けられる領域には、
当該リモコンに固有の識別記号が形成されており、
当該電子機器は、
前記リモコンから前記操作信号を受信する受信手段と、
撮像手段と、
当該電子機器に対応する前記リモコンの識別記号を記憶する識別記号記憶手段と、
前記受信手段が前記リモコンからの操作信号を受信したときに、前記撮像手段を介して撮影される当該リモコンの識別記号と、前記識別記号記憶手段によって記憶された識別記号とを比較し、これらの識別記号が一致する場合に当該操作信号に応じた処理を実行する処理実行手段と、
を備えることを特徴とする電子機器。
【請求項２】
請求項１記載の電子機器において、
前記受信手段が前記リモコンからの操作信号を受信したときに、ユーザ操作に基づいて、前記撮像手段を介して撮影される当該リモコンの識別記号を前記識別記号記憶手段に記憶させる識別記号記憶制御手段を備えることを特徴とする電子機器。
【請求項３】
請求項２記載の電子機器において、
前記識別記号記憶制御手段は、
前記受信手段が前記リモコンからの操作信号を受信したときに、前記撮像手段によって識別記号が撮影されない場合には、その旨をユーザに報知する処理を実行することを特徴とする電子機器。
【請求項４】
請求項１〜３の何れか一項に記載の電子機器において、
前記撮像手段は、前記操作信号の発信源を撮影可能であり、
前記処理実行手段は、前記撮像手段を介して撮影される前記リモコンの識別記号として、前記発信源から所定範囲内に存在する識別記号を用いることを特徴とする電子機器。
【請求項５】
リモコンから発信される操作信号によって操作されるコンピュータに実行されるプログラムにおいて、
前記リモコンの表面のうち、当該リモコンを操作するときに前記コンピュータ側に向けられる領域には、
当該リモコンに固有の識別記号が形成されており、
前記コンピュータに、
前記リモコンから前記操作信号を受信する受信機能と、
撮像機能と、
当該電子機器に対応する前記リモコンの識別記号を記憶する識別記号記憶機能と、
前記受信機能によって前記リモコンからの操作信号を受信したときに、前記撮像手段を介して撮影される当該リモコンの識別記号と、前記識別記号記憶機能によって記憶された識別記号とを比較し、これらの識別記号が一致する場合に当該操作信号に応じた処理を実行する処理実行機能と、
を実現させることを特徴とするプログラム。
【請求項６】
操作信号を発信するリモコンと、
前記操作信号によって操作される電子機器とを備える電子機器操作システムにおいて、
前記リモコンの表面のうち、当該リモコンを操作するときに前記電子機器側に向けられる領域には、
当該リモコンに固有の識別記号が形成されており、
前記電子機器は、
前記リモコンから前記操作信号を受信する受信手段と、
撮像手段と、
当該電子機器に対応する前記リモコンの識別記号を記憶する識別記号記憶手段と、
前記受信手段が前記リモコンからの操作信号を受信したときに、前記撮像手段を介して撮影される当該リモコンの識別記号と、前記識別記号記憶手段によって記憶された識別記号とを比較し、これらの識別記号が一致する場合に当該操作信号に応じた処理を実行する処理実行手段と、
を有することを特徴とする電子機器操作システム。
【請求項７】
請求項６記載の電子機器操作システムにおいて、
前記電子機器は、
前記受信手段が前記リモコンからの操作信号を受信したときに、ユーザ操作に基づいて、前記撮像手段を介して撮影される当該リモコンの識別記号を前記識別記号記憶手段に記憶させる識別記号記憶制御手段を有することを特徴とする電子機器操作システム。
【請求項８】
請求項７記載の電子機器において、
前記識別記号記憶制御手段は、
前記受信手段が前記リモコンからの操作信号を受信したときに、前記撮像手段によって識別記号が撮影されない場合には、その旨をユーザに報知する処理を実行することを特徴とする電子機器操作システム。
【請求項９】
請求項６〜８の何れか一項に記載の電子機器操作システムにおいて、
前記撮像手段は、前記操作信号の発信源を撮影可能であり、
前記処理実行手段は、前記撮像手段を介して撮影される前記リモコンの識別記号として、前記発信源から所定範囲内に存在する識別記号を用いることを特徴とする電子機器操作システム。
【発明の詳細な説明】
【技術分野】
【０００１】
本発明は、電子機器、プログラム及び電子機器操作システムに関する。
【背景技術】
【０００２】
従来、デジタルフォトフレームやデジタルサイネージのような画像表示装置にはカメラが具備されるようになっている。このような画像表示装置では、閲覧者の有無を検知して誰もいない時に表示をオフにしたり、子供が近づいたら警告を出したり、住人不在時に保安用に録画を行ったり、閲覧者を識別して表示を切り替えたりすることが可能となっている。
【０００３】
ところで、画像表示装置を複数台並べた状態において、赤外線等の無線信号による遠隔操作機器（以下、「リモコン」という。）で何れかの画像表示装置を操作する場合には、操作信号が混信する結果、意図しない他の画像表示装置まで同じように操作してしまう問題がある。
【０００４】
このような問題を解決する技術として、近年では、各画像表示装置の受信周波数を変えておき、リモコンに周波数切り替え装置を設ける技術が提案されている。また、リモコンから送信される信号内に画像表示装置の識別コードを含ませる技術も提案されている（例えば、特許文献１参照）。
【先行技術文献】
【特許文献】
【０００５】
【特許文献１】特開２００８−１０３９０１号公報
【発明の概要】
【発明が解決しようとする課題】
【０００６】
しかしながら、従来の技術では、制御構成が複雑化するため、装置の製造コストが嵩んでしまう。
【０００７】
本発明の課題は、製造コストの増加を抑えつつ、リモコンの混信を防止することのできる電子機器、プログラム及び電子機器操作システムを提供することである。
【課題を解決するための手段】
【０００８】
以上の課題を解決するため、請求項１に記載の発明は、
リモコンから発信される操作信号によって操作される電子機器において、
前記リモコンの表面のうち、当該リモコンを操作するときに当該電子機器側に向けられる領域には、
当該リモコンに固有の識別記号が形成されており、
当該電子機器は、
前記リモコンから前記操作信号を受信する受信手段と、
撮像手段と、
当該電子機器に対応する前記リモコンの識別記号を記憶する識別記号記憶手段と、
前記受信手段が前記リモコンからの操作信号を受信したときに、前記撮像手段を介して撮影される当該リモコンの識別記号と、前記識別記号記憶手段によって記憶された識別記号とを比較し、これらの識別記号が一致する場合に当該操作信号に応じた処理を実行する処理実行手段と、
を備えることを特徴とする。
【発明の効果】
【０００９】
本発明によれば、製造コストの増加を抑えつつ、リモコンの混信を防止することができる。
【図面の簡単な説明】
【００１０】
【図１】電子機器操作システムの概略構成を示す斜視図である。
【図２】リモコンの概略構成を示す斜視図である。
【図３】電子機器の機能構成を示すブロック図である。
【図４】リモコン関連付けモード処理の流れを示すフローチャートである。
【図５】操作モード処理の流れを示すフローチャートである。
【発明を実施するための形態】
【００１１】
以下、添付図面を参照して本発明に係る実施の形態の一例を詳細に説明する。ただし、発明の範囲は、図示例に限定されない。
【００１２】
［１．電子機器操作システムの構成］
図１は、電子機器操作システム１の概略構成を示す概念図である。
この図に示すように、電子機器操作システム１は、リモコン３と、電子機器２とを備えている。なお、この図では、２組の電子機器操作システム１が図示されている。
【００１３】
［２．リモコン］
リモコン３は、図２（ａ）に示すように、ユーザから各種処理の指示操作を受けるためのキー群３０と、キー群３０に対する操作に応じた操作信号を発信する発信部３１等とを有している。ここで、本実施の形態における発信部３１は、信号の発信源であり、操作信号として赤外線の信号を発信するようになっている。
【００１４】
このリモコン３の表面のうち、当該リモコン３を操作するときに電子機器２の側に向けられる領域（以下、機器対向領域とする）には、識別記号３５が形成されている。この識別記号３５は、リモコン３に固有の形態を有しており、リモコン３ごとに異なっている。より具体的には、この識別記号３５は、例えば図２（ａ）〜図２（ｄ）に示すように、円や三角形、四角形、星型の凸状に形成される。但し、識別記号３５が異なるとは、形状が異なる場合に限らず、同形状で色のみが異なる場合も含む。従って、リモコン３ごとに機器対向領域が別々の色で塗られている場合であっても、各リモコン３の機器対向領域には固有の識別記号３５が形成されていることとなる。
【００１５】
この識別記号３５の形成位置は、発信部３１から所定の範囲内（例えば１０ｃｍ以内）となっている。
【００１６】
［３．電子機器］
電子機器２は、図１に示すように、リモコン３から発信される操作信号によって操作される機器であり、本実施の形態においては、フォトフレームとなっている。
この電子機器２は、図１，図３に示すように、受信部２０と、カメラ２１と、ディスプレイ２２と、入力部２３と、記憶部２４と、制御部２５と、を備えて構成されている。なお、図１では、図示の簡略化のため、受信部２０やカメラ２１等を省略している。
【００１７】
受信部２０は、リモコン３の発信部３１から発信される操作信号を受信するようになっている。
【００１８】
カメラ２１は、手前側に向いた状態で受信部２０の近傍に設けられており、リモコン３から操作信号が発信される場合に、撮像を行うようになっている。このカメラ２１は、発信部３１を撮影可能となっている。
【００１９】
ディスプレイ２２は、ＬＣＤ（Liquid Crystal Display）やＥＬＤ（Electronic Luminescent Display）等により構成されており、制御部２５からの表示信号に従って各種情報を表示するようになっている。
【００２０】
入力部２３は、ユーザから各種処理の指示操作を受けるためのキー群２３０を有している。なお、図１では、図示の簡略化のため、キー群２３０を省略している。
【００２１】
記憶部２４は、ＲＯＭ（Read  Only  Memory）等により構成される不揮発性のメモリであり、各種プログラム及び各種データを記憶している。具体的には、記憶部２４は、本発明に係るプログラムとしての操作制御プログラム２４０と、関連付け記号テーブル２４１等を記憶している。
【００２２】
操作制御プログラム２４０は、後述のリモコン関連付けモード処理（図４参照）及び操作モード処理（図５参照）を制御部２５に実行させるためのプログラムである。
【００２３】
関連付け記号テーブル２４１は、自機の電子機器２に対応するリモコン３の識別記号３５（以下、関連付け記号３５Ｋとする）を記憶するようになっている。
【００２４】
制御部２５は、電子機器２の各部を中央制御する。具体的には、制御部２５は、記憶部２４に記憶されているシステムプログラム及び各種アプリケーションプログラムの中から指定されたプログラムを展開し、展開されたプログラムとの協働で、各種処理を実行する。
【００２５】
［４．電子機器操作システムの動作］
続いて、電子機器操作システム１の動作について説明する。
【００２６】
［４−１．リモコン関連付けモード処理］
図４は、リモコン関連付けモード処理の動作を説明するためのフローチャートである。なお、このリモコン関連付けモード処理は、ユーザにより入力部２３あるいはリモコン３のキー群３０を介してリモコン関連付けモード処理の実行指示が入力されると、記憶部２４から操作制御プログラム２４０が読み出されて展開される結果、当該操作制御プログラム２４０と制御部２５との協働によって実行される。
【００２７】
このリモコン関連付けモード処理においては、まず制御部２５は、リモコン３から信号を受信したか否かを判定し（ステップＳ１）、受信しないと判定した場合（ステップＳ１；Ｎｏ）には、当該ステップＳ１の処理を繰り返す。
【００２８】
また、ステップＳ１においてリモコン３から操作信号を受信したと判定した場合（ステップＳ１；Ｙｅｓ）には、制御部２５は、カメラ２１に撮影を行わせ（ステップＳ２）、操作信号の発生位置の近傍にリモコン３の識別記号３５が存在するか否かを判定する（ステップＳ３）。なお、ステップＳ２においては、操作信号の受信から撮影までに時間が掛かり過ぎると操作信号の発信が終了して発信位置が特定できなくなってしまい、識別記号３５が撮影されなくなってしまうため、操作信号の受信から近いタイミングで撮影を行うことが好ましい。
【００２９】
このステップＳ３において操作信号の発生位置の近傍にリモコン３の識別記号３５が存在しないと判定した場合（ステップＳ３；Ｎｏ）には、制御部２５は、識別記号３５が撮影されなかった旨の報知メッセージをディスプレイ２２に表示させた後（ステップＳ４）、上述のステップＳ１に移行する。
【００３０】
また、ステップＳ３において操作信号の発生位置の近傍にリモコン３の識別記号３５が存在すると判定した場合（ステップＳ３；Ｙｅｓ）には、制御部２５は、認識される識別記号３５を関連付け記号３５Ｋとして関連付け記号テーブル２４１に記憶させ（ステップＳ５）、リモコン関連付けモード処理を終了する。
【００３１】
［４−２．操作モード処理］
図５は、操作モード処理の動作を説明するためのフローチャートである。なお、この操作モード処理は、ユーザにより入力部２３を介して操作モード処理の実行指示が入力されると、記憶部２４から操作制御プログラム２４０が読み出されて展開される結果、当該操作制御プログラム２４０と制御部２５との協働によって実行される。
【００３２】
この操作モード処理においてまず制御部２５は、リモコン３から操作信号を受信したか否かを判定し（ステップＴ１）、受信しないと判定した場合（ステップＴ１；Ｎｏ）には、当該ステップＴ１の処理を繰り返す。
【００３３】
また、ステップＴ１においてリモコン３から操作信号を受信したと判定した場合（ステップＴ１；Ｙｅｓ）には、制御部２５は、カメラ２１に撮影を行わせ（ステップＴ２）、操作信号の発生位置、つまり発信部３１から所定の範囲内にリモコン３の識別記号３５が存在するか否かを判定する（ステップＴ３）。なお、本実施の形態においては、このとき受信した操作信号がリモコン関連付けモード処理の実行を指示する信号である場合には、制御部２５は、操作モード処理を終了してリモコン関連付けモード処理の実行を開始するようになっている。
【００３４】
このステップＴ３において操作信号の発生位置から所定の範囲内にリモコン３の識別記号３５が存在しないと判定した場合（ステップＴ３；Ｎｏ）には、制御部２５は、操作信号に応じた処理を実行せずに、上述のステップＴ１に移行する。
【００３５】
また、ステップＴ３において操作信号の発生位置から所定の範囲内にリモコン３の識別記号３５が存在すると判定した場合（ステップＴ３；Ｙｅｓ）には、制御部２５は、認識された識別記号３５が関連付け記号３５Ｋと一致するか否かを判定し（ステップＴ４）、一致しないと判定した場合（ステップＴ４；Ｎｏ）には、操作信号に応じた処理を実行せずに、上述のステップＴ１に移行する。
【００３６】
また、ステップＴ４において認識された識別記号３５が関連付け記号３５Ｋと一致すると判定した場合（ステップＴ４；Ｙｅｓ）には、制御部２５は、受信した操作信号に応じた処理を実行し（ステップＴ５）、操作モード処理を終了する。これにより、リモコン３からの操作信号を受信したときに、カメラ２１を介して撮影される当該リモコン３の識別記号３５と、関連付け記号テーブル２４１に記憶された関連付け記号３５Ｋとが一致する場合には、当該操作信号に応じた処理が実行されることとなる。
【００３７】
以上、本実施の形態によれば、図２や、図５のステップＴ２，Ｔ４，Ｔ５等に示したように、リモコン３の機器対向領域には、当該リモコン３に固有の識別記号３５が形成されており、リモコン３からの操作信号を電子機器２が受信したときには、カメラ２１により撮影される当該リモコン３の識別記号３５と、予め記憶された関連付け記号３５Ｋとを比較し、これらの記号３５，３５Ｋが一致する場合に当該操作信号に応じた処理を実行するので、操作信号の周波数を変えたり、操作信号内に識別コードを含ませたりする従来の場合と比較して、簡易な構成でリモコン３の混信を防止することができる。従って、製造コストの増加を抑えつつ、リモコン３の混信を防止することができる。
【００３８】
また、図４のステップＳ４に示したように、リモコン関連付けモード処理ではリモコン３からの操作信号を受信したときに、識別記号３５がカメラ２１で撮影されないと、その旨がユーザに報知されるので、関連付け記号３５Ｋが記憶されていないことをユーザに報知することができる。
【００３９】
また、図５のステップＴ３に示したように、カメラ２１は操作信号の発信部３１を撮影可能であり、カメラ２１で撮影される識別記号３５として、発信部３１から所定範囲内に存在する識別記号を用いるので、操作信号の送信部分を撮影によって特定し、機器対向領域の識別記号３５を確実に撮影することができる。
【００４０】
なお、上記の実施の形態における電子機器操作システム１の各構成要素の細部構成及び細部動作に関しては、本発明の趣旨を逸脱しない範囲で適宜変更可能であることは勿論である。
【００４１】
例えば、本発明に係る電子機器をフォトフレームとして説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る操作制御プログラム２４０は、電子機器に対して着脱可能なメモリカード、ＣＤ等に記憶されることとしてもよい。
【００４２】
また、リモコン３がキー群３０として物理的なキーを有することとして説明したが、タッチパネル等で実現されるソフトキー（ソフトウェアキー）を有することとしても良い。
【００４３】
また、リモコン３から発信される操作信号を赤外線の信号として説明したが、可視光線など、他の波長の信号としても良い。ここで、操作信号が可視光線の信号である場合には、カメラ２１は可視光の撮影ができれば良い。
【００４４】
また、リモコン関連付けモード処理においてはリモコン３からの操作信号の受信直後にカメラ２１で撮影を行うこととして説明したが、カメラ２１で常時撮影し続けておき、操作信号の受信と同時に撮影された画像を抜き出して使用することとしても良い。
【００４５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
リモコンから発信される操作信号によって操作される電子機器において、
前記リモコンの表面のうち、当該リモコンを操作するときに当該電子機器側に向けられる領域には、
当該リモコンに固有の識別記号が形成されており、
当該電子機器は、
前記リモコンから前記操作信号を受信する受信手段と、
撮像手段と、
当該電子機器に対応する前記リモコンの識別記号を記憶する識別記号記憶手段と、
前記受信手段が前記リモコンからの操作信号を受信したときに、前記撮像手段を介して撮影される当該リモコンの識別記号と、前記識別記号記憶手段によって記憶された識別記号とを比較し、これらの識別記号が一致する場合に当該操作信号に応じた処理を実行する処理実行手段と、
を備えることを特徴とする電子機器。
＜請求項２＞
請求項１記載の電子機器において、
前記受信手段が前記リモコンからの操作信号を受信したときに、ユーザ操作に基づいて、前記撮像手段を介して撮影される当該リモコンの識別記号を前記識別記号記憶手段に記憶させる識別記号記憶制御手段を備えることを特徴とする電子機器。
＜請求項３＞
請求項２記載の電子機器において、
前記識別記号記憶制御手段は、
前記受信手段が前記リモコンからの操作信号を受信したときに、前記撮像手段によって識別記号が撮影されない場合には、その旨をユーザに報知する処理を実行することを特徴とする電子機器。
＜請求項４＞
請求項１〜３の何れか一項に記載の電子機器において、
前記撮像手段は、前記操作信号の発信源を撮影可能であり、
前記処理実行手段は、前記撮像手段を介して撮影される前記リモコンの識別記号として、前記発信源から所定範囲内に存在する識別記号を用いることを特徴とする電子機器。
＜請求項５＞
リモコンから発信される操作信号によって操作されるコンピュータに実行されるプログラムにおいて、
前記リモコンの表面のうち、当該リモコンを操作するときに前記コンピュータ側に向けられる領域には、
当該リモコンに固有の識別記号が形成されており、
前記コンピュータに、
前記リモコンから前記操作信号を受信する受信機能と、
撮像機能と、
当該電子機器に対応する前記リモコンの識別記号を記憶する識別記号記憶機能と、
前記受信機能によって前記リモコンからの操作信号を受信したときに、前記撮像手段を介して撮影される当該リモコンの識別記号と、前記識別記号記憶機能によって記憶された識別記号とを比較し、これらの識別記号が一致する場合に当該操作信号に応じた処理を実行する処理実行機能と、
を実現させることを特徴とするプログラム。
＜請求項６＞
操作信号を発信するリモコンと、
前記操作信号によって操作される電子機器とを備える電子機器操作システムにおいて、
前記リモコンの表面のうち、当該リモコンを操作するときに前記電子機器側に向けられる領域には、
当該リモコンに固有の識別記号が形成されており、
前記電子機器は、
前記リモコンから前記操作信号を受信する受信手段と、
撮像手段と、
当該電子機器に対応する前記リモコンの識別記号を記憶する識別記号記憶手段と、
前記受信手段が前記リモコンからの操作信号を受信したときに、前記撮像手段を介して撮影される当該リモコンの識別記号と、前記識別記号記憶手段によって記憶された識別記号とを比較し、これらの識別記号が一致する場合に当該操作信号に応じた処理を実行する処理実行手段と、
を有することを特徴とする電子機器操作システム。
＜請求項７＞
請求項６記載の電子機器操作システムにおいて、
前記電子機器は、
前記受信手段が前記リモコンからの操作信号を受信したときに、ユーザ操作に基づいて、前記撮像手段を介して撮影される当該リモコンの識別記号を前記識別記号記憶手段に記憶させる識別記号記憶制御手段を有することを特徴とする電子機器操作システム。
＜請求項８＞
請求項７記載の電子機器において、
前記識別記号記憶制御手段は、
前記受信手段が前記リモコンからの操作信号を受信したときに、前記撮像手段によって識別記号が撮影されない場合には、その旨をユーザに報知する処理を実行することを特徴とする電子機器操作システム。
＜請求項９＞
請求項６〜８の何れか一項に記載の電子機器操作システムにおいて、
前記撮像手段は、前記操作信号の発信源を撮影可能であり、
前記処理実行手段は、前記撮像手段を介して撮影される前記リモコンの識別記号として、前記発信源から所定範囲内に存在する識別記号を用いることを特徴とする電子機器操作システム。
【符号の説明】
【００４６】
１          電子機器操作システム
２                電子機器
３                リモコン
２０              受信部
２１              カメラ
２５              制御部
３５              識別記号
２４０            操作制御プログラム
２４１            関連付け記号テーブル
【図１】
2012169816.tif 000003
【図２】
2012169816.tif 000004
【図３】
2012169816.tif 000005
【図４】
2012169816.tif 000006
【図５】
2012169816.tif 000007